(57)【特許請求の範囲】
【請求項１】
光透過型の表示セルと、
前記表示セルに電気的に接続されフレキシブル配線基板に駆動ICが実装された第１及び第２のTCPと、
前記夫々のTCPを介して前記表示セルに電気的に接続された第１及び第２の制御回路基板と、を含む表示パネルと、
前記表示パネルの裏面側に配置され、略矩形で一主面を光出射面とする導光板と、前記導光板の光入射側面に対向して配置される管状光源と、を含む面光源ユニットと、
前記表示パネルを前記面光源ユニットとの間で挟持するベゼル部と、を具備する平面表示装置において、
前記第１の制御回路基板を前記面光源ユニットの前記光出射面と対向する非光出射面側に配置するために前記導光板の前記光入射側面と対向する非光入射側面側に沿うように前記第１のTCPを配置するとともに、前記導光板の前記光入射側面に隣接する少なくとも他の一側面は、前記導光板の前記光出射面とのなす角が鋭角となるように形成されており、前記第２の制御回路基板を前記面光源ユニットの前記非光出射面側に配置するために前記一側面に沿うように前記第２のTCPを配置し、前記鋭角にしてできた空地部に前記第２のTCPの駆動ICが対応して配置されていることを特徴とする平面表示装置。
【請求項２】
前記導光板の前記他の一側面に、光吸収部材が設けられていることを特徴とする請求項１記載の平面表示装置。
【請求項３】
前記導光板の前記他の一側面に、光反射部材が設けられていることを特徴とする請求項１記載の平面表示装置。
【請求項４】
前記ベゼル部の側面には、収納する筐体との固定用のネジ穴を形成していることを特徴とする請求項１記載の平面表示装置。
【発明の詳細な説明】
【０００１】
【発明の属する技術分野】
本発明は、薄型・狭額縁化された平面表示装置に関する。
【０００２】
【従来の技術】
近年、平面表示装置は、薄型・軽量・低消費電力の特徴をいかして、各種分野で利用されている。
光透過型の液晶表示装置を例にとると、例えば一対の電極基板間に液晶層を保持する液晶セルと、この電極基板に電気的に接続され、信号線駆動回路と走査線駆動回路とを実装した回路部を備えた表示パネルと、表示パネルを照明するエッジライト方式の面光源ユニットとを備えて構成される。
【０００３】
従来、走査線駆動回路基板は液晶基板と略同一平面に配され、信号線駆動回路基板は、面光源ユニットの導光板の薄くなった部分に形成されていた。
ところで、近年では、液晶モジュール構造全体の外形サイズを変えずに表示面積を大きくすることが望まれ、狭額縁化が促されている。そのため、走査線駆動回路基板と信号線駆動回路基板の両方の基板を、導光板の光出射面の対向面側に形成する試みがなされている。
上記構造により、表示セルの裏側に面光源ユニットと回路部を配置するため、より一層の狭額縁化が達成される。
【０００４】
【発明が解決しようとする課題】
しかしながら、上記構造においては、一方の回路部、例えば信号線駆動回路基板は導光板の薄い部分に配置することができるが、もう一方の回路部である走査線駆動回路基板は導光板の厚い部分に配置することになり、全体として厚い液晶表示装置になってしまうという問題があった。
【０００５】
薄型にするために導光板を薄くすると、管状光源から出る光の導光板への導入量が小さくなるため輝度が低くなり、輝度を上げるために管電流を大きくすると消費電力が大きくなるため、要求に応えられる十分な薄型化と高輝度化もしくは低消費電力化を実現することができなかった。
本発明は、上記の技術課題に対処して成されたものであって、狭額縁化と、より一層の薄型化の達成された平面表示装置を提供することを目的としている。
【０００６】
【課題を解決するための手段】
請求項１記載の発明は、光透過型の表示セルと、前記表示セルに電気的に接続されフレキシブル配線基板に駆動ICが実装された第１及び第２のTCPと、前記夫々のTCPを介して前記表示セルに電気的に接続された第１及び第２の制御回路基板と、を含む表示パネルと、前記表示パネルの裏面側に配置され、略矩形で一主面を光出射面とする導光板と、前記導光板の光入射側面に対向して配置される管状光源と、を含む面光源ユニットと、前記表示パネルを前記面光源ユニットとの間で挟持するベゼル部と、を具備する平面表示装置において、前記第１の制御回路基板を前記面光源ユニットの前記光出射面と対向する非光出射面側に配置するために前記導光板の前記光入射側面と対向する非光入射側面側に沿うように前記第１のTCPを配置するとともに、前記導光板の前記光入射側面に隣接する少なくとも他の一側面は、前記導光板の前記光出射面とのなす角が鋭角となるように形成されており、前記第２の制御回路基板を前記面光源ユニットの前記非光出射面側に配置するために前記一側面に沿うように前記第２のTCPを配置し、前記鋭角にしてできた空地部に前記第２のTCPの駆動ICが対応して配置されていることを特徴としている。
【０００７】
この発明によれば、導光板の形状による空地部に駆動回路または制御回路基板の一部または全体を配置するため、薄型化が実現できる。
以下に、本発明について具体的な実施例に基づいて、詳細に説明する。
【０００８】
【発明の実施の形態】
以下、本発明について、一実施例である液晶表示装置を例にとり、図面を参照して詳細に説明する。
図１は、液晶表示装置の一例を示し、同図（ａ）は概略斜視図、同図（ｂ）は同図（ａ）中のＡ−Ａ線に沿って切断した概略断面図、同図（ｃ）は同図（ａ）中のＢ−Ｂ線に沿って切断した概略断面図である。
【０００９】
また、図２（ａ）は、図１の液晶表示装置の概略分解斜視図、図２（ｂ）は同図（ａ）のＣ−Ｃ線に沿って切断した表示パネルの概略断面図である。この実施の形態の液晶表示装置１は、図１、２に示すように、電気回路系を組み込んだ光透過型の表示パネル２００と、面光源ユニット１００と、表示パネル２００を面光源ユニット１００との間で挟持するベゼル部３００からなる。固定は、主にネジ固定により行い、補助的手段としてはめ込み固定を行う。
【００１０】
表示パネル２００は、アレイ基板２１０と、対向基板２２０と、これら基板間２１０、２２０に図示しない配向膜を介して挟持されるＴＮ（Twisted   Nematic ）液晶からなる液晶層と、を備えた表示セル２０１と制御回路基板２３０とを備えて構成される。また、アレイ基板２１０、対向基板２２０の各外表面には、偏光板２６１、２６２が、その偏光軸が略直交するように配置される。
【００１１】
表示セル２０１のアレイ基板２１０と対向基板２２０は表示領域を囲む枠状に配置されたシール材２５０によって互いに貼り合わされている。
アレイ基板２１０は、ガラスからなる透明基板上にほぼ平行に、等間隔に配置された信号線２１１と、それにほぼ直交して配置された走査線２１２と、交点毎に配置されたＴＦＴ（Thin Film Transistor）２１３、及びこれに接続する画素電極２１４から構成される。
【００１２】
一方、アレイ基板２１０に対向配置される対向基板２２０は、図示しないカラーフィルタと対向電極と配向膜とがガラスからなる透明基板上に配置されて構成される。
【００１３】
また、制御回路基板２３０は、信号線２１１に電気的に接続される第１の制御回路基板２３１と走査線２１２に電気的に接続される第２の制御回路基板２３２とから構成される。
【００１４】
表示パネル２００のアレイ基板２１０と制御回路基板２３０とは、可とう性を有するフレキシブル配線基板に駆動ＩＣ２４３、２４４が実装されたＴＣＰ（tape carrier package）２４０を介して接続されている。ＴＣＰ２４０は、第１の制御回路基板２３１に接続される第１ＴＣＰ２４１と第２の制御回路基板２３２に接続される第２ＴＣＰ２４２とから構成される。
【００１５】
次に、図１（ｂ）を参照して、面光源ユニット１００について説明する。面光源ユニット１００は、略矩形で一主面を光出射面１３３とする導光板１３０と、この導光板１３０の一側面１面に配置される管状光源１１０と、管状光源１１０から出た光を導光板１３０へ導入する反射体１２０と、導光板１３０の光出射面１３３に輝度均一性向上と輝度向上のため設けられた光学フィルム１５０と、光出射面１３３の対向面である非光出射面１３２に出た光を光出射面１３３に向かって反射させるための反射フィルム１４０とを備えて構成される。
【００１６】
面光源ユニット１００の導光板１３０は、管状光源１１０の光が入射する面１３１の厚みが最大となっており、管状光源１１０から遠ざかるにつれて薄くなっている。このため、管状光源からの光を十分に導光体へ取り入れる。また管状光源から遠い部分の非光出射面と光出射面との距離が小さくなるので、光出射面内で均一な出射光量が得られる。
【００１７】
更に、図１（ｃ）に示すように、導光板１３０の管状光源１１０の設置される一側面、光導入側面１３１と隣接する他の側面を第１側面１３７、第２側面１３８とすると、第２の制御回路基板２３２が配置される側に形成された第１側面１３７は、導光板光出射面１３３に対して鋭角をなしており、具体的には以下の関係を満たしていることが望ましい。
【００１８】
・  導光板１３０の光出射面１３３と第１側面１３７のなす角度θは、
３０  ≦  θ  ≦  ８０
・  有効表示領域から導光板非光出射面１３２側の終端までの距離ｄ1 は、
−２ｍｍ  ≦  ｄ1 ＜  １ｍｍ
・  有効表示領域から導光板光出射面１３３側の終端までの距離ｄ2 は、
ｄ2 ≧  １ｍｍ
ＴＣＰの可とう性により、ＴＣＰ２４０を折り曲げて制御回路基板２３０を導光板１３０の非光出射面１３２側に配置し、鋭角をなしてできた空地部に第１および第２ＴＣＰ２４１、２４２の一部または制御回路基板２３０の一部を収納し、フレーム２７０で保持する。
【００１９】
この鋭角をなしてできた空地部とは、導光板１３０の第１側面１３７を光出射面１３３に対して鋭角とすることで生じたベゼル部３００内の空間を指している。
【００２０】
例えば、図１、３、４に示すように、導光板１３０とフレーム２７０とベゼル部３００との間の間隙や、図５に示すように、フレーム２７０が液晶表示装置１の厚み方向に延在している場合にはフレーム２７０とベゼル部３００との間の間隙を、鋭角にしてできた空地部と呼ぶ。
【００２１】
いずれの場合も、導光板１３０の第１側面１３７を、光出射面１３３に対して鋭角をなすよう配置し、その鋭角をなしてできた空地部にＴＣＰ２４０の一部または制御回路基板２３０の一部を収納しているので、液晶表示装置１の薄型化および狭額縁化を達成する。
【００２２】
また、ベゼル部３００には液晶表示装置１を収納固定する筐体に固定するためのネジ穴３１０が形成されており、フレーム２７０とベゼル部３００の固定を行い、液晶表示装置１をより狭額縁化している。
【００２３】
（実施例）
ここで、図３を参照して、１４．１型ＸＧＡ  ＬＣＤ（liquid  crystal   display ）を例にとり説明すると、
θ＝６０°、ｄ1 ＝０．５mm、ｄ2 ＝１．０mm
となるよう形成し、また導光板１３０の非光出射面１３２に微細ドット１３４を
径０．１mm、高さ０．０１mmの円柱形状
となるよう形成し、さらに導光板１３０の光出射面１３３と鋭角を成す第１側面１３７に光反射性のテープ１３５を配置する。
【００２４】
非光出射面１３２に微細ドット１３４を形成したので、導光板１３０からの光出射が均一化され、この微細ドット１３４は管状光源１１０から遠ざかるにつれて密度が大きくなっており、光出射面１３３での光出射分布が面内で均一となる。この実施例では、導光板１３０の材料はＰＭＭＡ（poly  methyl  methacryate ）等のアクリル樹脂を使用し、微細ドット１３４も含めて射出成型により作成する。
【００２５】
また、第１側面１３７、つまり導光板１３０の光出射面１３３と鋭角をなす側面に配置された光反射性のテープ１３５により輝度均一性が向上した。
この鋭角を成す側面と、フレーム２７０と、ベゼル部３００との間隙となる空地部に、第２ＴＣＰの一部、特に第２ＴＣＰ２４２に実装された駆動ＩＣ２４４を配置する。
【００２６】
以上のようにして、厚さ５．７mm、輝度１５０cd/m2 の液晶表示装置を実現することができた。
本実施例においては、導光板１３０の光出射を均一化するために非光出射面１３２に微細ドット１３４を形成したが、図４に示すように、導光板１３０の非光出射面１３２に光拡散反射性もしくは光拡散透過性のドット１３６を設けてもよく、輝度均一性を向上させることができる。
【００２７】
さらに、導光板１３０の光出射面１３３と鋭角をなす側面つまり第１側面１３７には、光反射性テープ１３５を配置しているので、輝度均一性が向上する。また、光反射性テープ１３５ではこの側面付近が明るくなりその輝度ムラが問題となる場合は光吸収性テープを使用してもよく、目的に応じて光吸収性テープまたは光反射性テープを使うことができる。
【００２８】
以上説明したように、管状光源の光導入面と隣接する側面のうち少なくとも１側面は光出射面とのなす角が鋭角となっており、導光板の光出射面に対して鋭角をなす側面にできた空地部にＴＣＰの一部または制御回路基板の一部が対応して配置されているため、十分に薄型の液晶表示装置を実現できる。また、鋭角をなすため、輝度の低下を抑制できる。
【００２９】
また、２枚の制御回路基板および面光源ユニットは表示セルの裏側に配置されるため、狭額縁化が達成される。
また、導光板の光出射面と鋭角をなす側面に光吸収性または光反射性をもたせ、光出射面の輝度均一性を向上させることができる。
【００３０】
また、上述した実施例では、表示セルとしてＴＮモードを例にとり説明したが、他の光透過型の液晶表示装置であってもよく特に限定されない。
更に、ＴＦＴに多結晶シリコン膜を用いて、駆動回路をＴＦＴが形成される基板と同一基板上に形成してもよく、駆動回路の一部あるいは全部の駆動ＩＣを基板上に直接搭載するＣＯＧ（chip  on  glass ）技術を用いても良い。
【００３１】
これらの場合、駆動回路を基板上に配置することで、表示セルと外部との電気的な接続数を軽減することができ、また外部回路を小型に構成できるので、一層の小型化を達成する上で有効である。
【００３２】
【発明の効果】
この発明によれば、導光板で形成された空地部に駆動回路、制御回路基板の一部を収納するので、より一層の薄型化が達成された平面表示装置が得られる。
【図面の簡単な説明】
【図１】図１は本発明の一実施例である液晶表示装置を示す図であり、図中（ａ）は概略斜視図、図中（ｂ）は同図（ａ）中のＡ−Ａ線に沿って切断した概略断面図、図中（ｃ）は同図（ａ）中のＢ−Ｂ線に沿って切断した概略断面図である。
【図２】図２は本発明の一実施例である液晶表示装置を示す図であり、図中（ａ）は概略分解斜視図、図中（ｂ）は同図（ａ）中のＣ−Ｃ線に沿って切断した概略断面図である。
【図３】図３は本発明の一実施例である液晶表示装置の概略断面図である。
【図４】図４は本発明の別の実施例である液晶表示装置の概略断面図である。
【図５】図５は本発明の別の実施例である液晶表示装置の概略断面図である。
【符号の説明】
１…液晶表示装置
１００…面光源ユニット
１１０…管状光源
１３０…導光板
１３１…光導入面
１３３…光出射面
１３７…第１側面
２００…表示パネル
２０１…表示セル
２３０…制御回路基板
２４０…ＴＣＰ
３００…ベゼル部
【図１】
0004330700.tif 000002
【図２】
0004330700.tif 000003
【図３】
0004330700.tif 000004
【図４】
0004330700.tif 000005
【図５】
0004330700.tif 000006